(57)【要約】【課題】  通信可能距離が短くなることを抑制しつつ、通信モジュールが通信に用いるアンテナを理想的な位置に配置することができるようにする。【解決手段】  開閉検知部２０からの検知信号に変化が生じたと判断すると、主制御部２１はその開閉検知部２０からの検知信号に基づいて携帯電話機が折り畳まれた状態にあるのか、折り畳まれていない状態にあるのかを判定する。そして、携帯電話機が折り畳まれた状態にあると判定された場合には、主制御部２１は共振周波数調整部１８に対して供給する電圧ＶｃをＨレベルとし、アンテナ１７の共振周波数を移動させる。また、折り畳まれていない状態にあると判定された場合には、主制御部２１は共振周波数調整部１８に対して供給する電圧ＶｃをＬレベルとし、アンテナ１７の共振周波数を移動させない。【選択図】  図１
2005151051.tif 000002
【特許請求の範囲】
【請求項１】
折り畳み可能に構成される携帯端末において、
前記携帯端末を折り畳んでいるときに内側となり、折り畳んでいないときに外側となる面に配置されたアンテナと、
前記アンテナを用いて通信を行う通信モジュールと、
前記携帯端末が折り畳まれているか否かを検出する検出手段と、
前記検出手段の検出結果に基づいて前記アンテナの共振周波数を調整する調整手段とを備えたことを特徴とする携帯端末。
【請求項２】
主表示部が設けられた第１筐体と、主操作部が設けれられる第２筐体とが折り畳み可能に構成され、
前記アンテナは、前記第１筐体の主表示部が設けられた側と反対側の面の近傍に配置されることを特徴とする請求項１記載の携帯端末。
【請求項３】
主表示部が設けられた第１筐体と、主操作部が設けられた第２筐体とが折り畳み可能で且つ回動可能に構成される携帯端末において、
前記第１筐体の前記主表示部が設けられた側と反対側の面の近傍に配置されたアンテナと、
前記アンテナを用いて通信を行う通信モジュールと、
前記携帯端末が前記主表示部を外側にして折り畳まれたか否かを検出する検出手段と、
前記検出手段の検出結果に基づいて前記アンテナの共振周波数を調整する調整手段とを備えたことを特徴とする携帯端末。
【請求項４】
前記通信モジュールは、前記アンテナを用いて短距離の通信を行うことを特徴とする請求項１ないし請求項３の何れかに記載の携帯端末。
【請求項５】
前記第２筐体にバッテリを配置したことを特徴とする請求項２または請求項３記載の携帯端末。
【発明の詳細な説明】
【技術分野】
【０００１】
本発明は、通信モジュールを備えた携帯端末に関する。
【背景技術】
【０００２】
近年、携帯電話機に基地局との通信を行う通信モジュールとは別に、FeliCa（登録商標）等の短距離の通信を行う通信モジュールや、Bluetooth（登録商標）等の近距離の通信を行う通信モジュールを搭載したものが提案されている。また、携帯電話機の構造についても、クラムシェルタイプの折り畳み構造だけではなく、回転タイプやスライドタイプの折り畳み構造や、クラムシェルで更に主表示部が回動するタイプの折り畳み構造が提案されている。
【特許文献１】特開２００３−１２５０３９号公報
【特許文献２】特開２００１−２９８５１３号公報
【特許文献３】特開２００２−１３５３８０号公報
【発明の開示】
【発明が解決しようとする課題】
【０００３】
ところで、折り畳み可能な携帯端末において、通信モジュールが通信に用いるアンテナを配置する場合、この通信モジュールが、主に、交通機関の定期券の代わりや、コンビニエンスストア等のレジでの決済に用いられることから、携帯端末を折り畳んだとき、および折り畳んでいないときの何れの状態でも、相手側端末に近づけ易く、かつユーザの持ち替え操作を必要としない位置に設けるのが理想的である。
【０００４】
そこで、携帯端末を折り畳んだとき、および折り畳んでいないときの何れの状態でも、相手側端末に近づけ易く、かつユーザの持ち替え操作が比較的少ない位置として、第１筐体の主表示部の裏面側が考えられる。
【０００５】
ところが、この位置にアンテナを配置すると、回転タイプやスライドタイプの折り畳み構造や、クラムシェルでさらに主表示部が回動するタイプの折り畳み構造では、携帯端末を折り畳んだときに、アンテナが第２筐体の主操作部と第１筐体の主表示部との間に挟まれる状態となる。このとき、第２筐体には基板を含めていろいろな金属パーツが存在しているため、これらの影響によりアンテナの共振周波数が通常状態に比べて変化してしまう。具体的には、クラムシェルで更に主表示部が回動するタイプの折り畳み構造携帯端末にFeliCa（登録商標）を搭載した場合、図１４に示すように、主表示部を外側（アンテナを内側）として折り畳んだ状態と、主表示部を内側（アンテナを外側）として折り畳んだ状態（通常状態）とでは、５００ｋＨｚ程度の共振周波数のズレが生じる。そして、アンテナの共振周波数が通常状態に比べて変化することに伴い、送受信レベルが低下し、通信可能距離が短くなるといった課題があった。
【０００６】
本発明は、上記課題に鑑みて成されたものであり、通信可能距離が短くなることを抑制しつつ、通信モジュールが通信に用いるアンテナを理想的な位置に配置することができる携帯端末を提供することを目的とするものである。
【課題を解決するための手段】
【０００７】
上記目的を達成するために、本発明は、折り畳み可能に構成される携帯端末において、前記携帯端末を折り畳んでいるときに内側となり、折り畳んでいないときに外側となる面に配置されたアンテナと、前記アンテナを用いて通信を行う通信モジュールと、前記携帯端末が折り畳まれているか否かを検出する検出手段と、前記検出手段の検出結果に基づいて前記アンテナの共振周波数を調整する調整手段とを備える構成としたものである。
【０００８】
また、本発明は、上記の構成に加え、主表示部が設けられた第１筐体と、電池が設けれられる第２筐体とを折り畳み可能に構成し、前記アンテナを、前記第１筐体の主表示部が設けられた側と反対側の面の近傍に配置する構成としたものである。
【０００９】
また、本発明は、主表示部が設けられた第１筐体と、電池が設けられる第２筐体とが折り畳み可能で且つ回動可能に構成される携帯端末において、前記第１筐体の前記主表示部が設けられた側と反対側の面の近傍に配置されたアンテナと、前記アンテナを用いて通信を行う通信モジュールと、前記携帯端末が前記主表示部を外側にして折り畳まれたか否かを検出する検出手段と、前記検出手段の検出結果に基づいて前記アンテナの共振周波数を調整する調整手段とを備える構成としたものである。
【００１０】
また、本発明は、上述の何れかの構成に加え、前記通信モジュールが、前記アンテナを用いて短距離の通信を行うよう構成したものである。
【００１１】
さらに、本発明は、上述の構成に加え、前記第２筐体にバッテリを配置する構成としたものである。
【発明の効果】
【００１２】
以上の構成により、本発明によれば、アンテナが第１筐体と第２筐体との間に挟まれた場合にも、送受信レベルの低下、および通信可能距離が短くなることを抑制することができるため、アンテナ配置の自由度をあげることができる。
【００１３】
また、本発明によれば、アンテナを第１筐体の主表示部が設けられた側の反対側の面の近傍に配置することで、携帯端末を折り畳んだとき、および折り畳んでいないときの何れの状態でも、アンテナを相手側端末に近づけ易く、かつユーザの持ち替え操作を比較的少なくすることができる。
【００１４】
さらに、本発明によれば、第２筐体にバッテリを配置することができるため、アンテナの制約を受けることがなく、大容量のバッテリを搭載することができる。
【発明を実施するための最良の形態】
【００１５】
以下、本発明の実施の形態を図面を参照して詳細に説明する。
【００１６】
図１は本発明の携帯端末の一実施の形態である携帯電話機の構成を示す機能ブロック図、図２は同携帯電話機のアンテナの共振周波数を調整する調整回路の構成を示す回路図、図３および図４は同携帯電話機の構成の一例を示す外観図、図５および図６は同携帯電話機の構成の他の例を示す外観図、図７は同携帯電話機における筐体開閉時の動作制御を示すフローチャート、図８は本発明の携帯端末の他の実施の形態である携帯電話機の構成を示す機能ブロック図、図９ないし図１１は同携帯電話機の構成を示す外観図、図１２は同携帯電話機の第１筐体（上側筐体）の構成を示す断面図、図１３は同携帯電話機における筐体開閉時の動作制御を示すフローチャートである。
【００１７】
以下、本発明の携帯端末の一実施の形態である携帯電話機を図１ないし図７に基づいて説明する。
【００１８】
図１ないし図７において、１は第１アンテナ、２は第１アンテナ１を介して図示しない基地局との信号の送受信を行う無線部、３は無線部２における送受信制御を行う通信制御部、４は通信制御部３によって送受信制御された信号に対して所定の信号処理を施す信号処理部、５は信号処理部４で信号処理された音声信号を出力するスピーカ、６は信号処理部４に音声信号を出力するマイクである。
【００１９】
７はＣＣＤやＣＭＯＳによって構成された撮像部、８は撮像部７の近傍に位置し被写体に対して光を照射する発光部であり、これら撮像部７および発光部８は第２筐体（下側筐体）の裏面側に設けられ、携帯電話機を折り畳んでいないとき、および折り畳んだときの何れの状態でも外側となる位置に配置されている。９は撮像部７によって撮影された画像に対して露出・画質等の調整を行う画像処理部、１０は画像処理部９によって調整された画像データや各種表示データを記憶する第１メモリである。
【００２０】
１１は第１メモリ１０に記憶された画像データや各種表示データに基づいて表示用の駆動信号を生成する第１表示ドライバ、１２は第１表示ドライバ１１からの駆動信号に基づいて画像や文字等を表示する第１表示部であり、この第１表示部１２は第１筐体（上側筐体）の表面側に設けられ、携帯電話機を折り畳んでいないとき、および折り畳んだときの何れの状態でも外側となる位置に配置され、主表示部として用いられる。１３は第１表示部１２を背面から照明する第１バックライトである。
【００２１】
１４は信号処理部４および画像処理部９からの画像データや電話帳データやスケジュールデータ等の各種情報を記憶する第２メモリ、１５は電話番号・文字・記号等の入力や各種機能の選択・起動・停止等の指示を行う第１操作部、１６は各種機能の選択・起動・停止等を行う第２操作部である。
【００２２】
１７は第２アンテナ、１８は第２アンテナ１７の共振周波数を調整する共振周波数調整部であり、図２（Ａ）に示すように、アンテナ１７を等価回路として表すコイルＬとコンデンサＣ１に対して並列に、コンデンサＣ２，Ｃ３、抵抗Ｒ１，Ｒ２、ＰＩＮダイオードＤからなる、容量切替による共振周波数調整回路が接続される構成となっており、Ｖｃ＝ＬとすることでＰＩＮダイオードをＨｉインピーダンス状態として回路を切断し、Ｖｃ＝ＨとすることでＰＩＮダイオードをＬｏインピーダンス状態としてＣ１に対してＣ２//Ｃ３が合成された状態とし、共振周波数を低い方へ移動させることができるよう構成されている。１９は第２アンテナ１７を介して図示しない相手側端末との短距離通信を行う通信モジュールである。
【００２３】
２０は携帯端末の開閉状態を検知する開閉検知部であって、第１筐体（上側筐体）の開放端側に配置されたマグネット２０ａと、第２筐体（下側筐体）の開放端側に配置されたホール素子２０ｂとから構成されており、マグネット２０ａがホール素子２０ｂに近接することによってホール素子２０ｂがＯＮする構成となっている。２１は予め記憶されたプログラムや通信回線を介してダウンロードしたプログラムに従って各部を制御する主制御部である。
【００２４】
そして、これら第１アンテナ１と、無線部２と、通信制御部３と、信号処理部４と、スピーカ５と、マイク６と、撮像部７と、発光部８と、画像処理部９と、第１メモリ１０と、第１表示ドライバ１１と、第１表示部１２と、第１バックライト１３と、第２メモリ１４と、第１操作部１５と、第２操作部１６と、第２アンテナ１７と、共振周波数調整部１８と、通信モジュール１９と、開閉検知部２０と、主制御部２１とによって携帯電話機が構成されている。
【００２５】
また、このように構成された携帯電話機は、図３および図４に示すような回転タイプや、図５および図６に示すようなスライドタイプの折り畳み構造を有しており、それぞれの構造において、第１アンテナ１が第２筐体（下側筐体）に配置されると共に、第２アンテナ１７が第１筐体（上側筐体）の第１表示部１２が設けられた側と反対側の面に筐体の外周を這うように配置されている。また、バッテリが第２筐体（下側筐体）の裏面側に配置されている。
【００２６】
次に、上記のように構成された携帯電話機について開閉時の動作を図７に基づいて説明する。
【００２７】
携帯電話機の電源をＯＮすることで、このフローチャートに基づく制御が開始され、主制御部２１は開閉検知部２０からの検知信号の変化を確認する（ステップＳ１）。このとき、電源ＯＮした直後は前の状態が不明であるため、検知信号に変化が生じたと判断し、以後は携帯電話機が折り畳まれた状態から折り畳まれていない状態に移行したときや、折り畳まれていない状態から折り畳まれた状態に移行したときの検知信号に変化が生じたと判断する。
【００２８】
そして、開閉検知部２０からの検知信号に変化が生じたと判断すると、主制御部２１はその開閉検知部２０からの検知信号に基づいてホール素子２０ｂがＯＮ状態（携帯電話機が折り畳まれた状態）にあるのか、ホール素子２０ｂがＯＦＦ状態（折り畳まれていない状態）にあるのかを判定する（ステップＳ２）。
【００２９】
そして、ホール素子２０ｂがＯＮ状態（携帯電話機が折り畳まれた状態）にあると判定された場合には、主制御部２１は共振周波数調整部１８に対して供給する電圧ＶｃをＨレベルとし（ステップＳ３）、アンテナ１７の共振周波数を移動させる。また、ホール素子２０ｂがＯＦＦ状態（折り畳まれていない状態）にあると判定された場合には、主制御部２１は共振周波数調整部１８に対して供給する電圧ＶｃをＬレベルとし（ステップＳ４）、アンテナ１７の共振周波数を移動させない。
【００３０】
したがって、上述の動作制御によれば、アンテナ１７が第１筐体と第２筐体との間に挟まれた状態となった場合において、アンテナ１７の共振周波数を適正な範囲に移動させることができ、これにより、送受信レベルの低下や通信可能距離が短くなることを抑制することができるため、このアンテナ１７を、携帯端末を折り畳んだとき、および折り畳んでいないときの何れの状態でも、相手側端末に近づけ易く、かつユーザの持ち替え操作が比較的少ない位置として理想的と考えられる、第１筐体の第１表示部１２の裏面側に配置することができる。しかも、アンテナ１７を第１筐体側に配置することで、第２筐体側に配置するバッテリの形状を考慮しなくて良くなるため、大容量のバッテリを搭載することができるといった効果も奏する。
【００３１】
また、第２アンテナ１７をループアンテナとし、第１筐体（上側筐体）の第１表示部１２が設けられた側と反対側の面の近傍に筐体の外周を這うように配置しているため、アンテナ１７が第１筐体と第２筐体との間に挟まれた状態となった場合においても、電波が放射され易く受け易い。したがって、送受信レベルの低下や通信可能距離が短くなることをより一層抑制することができる。
【００３２】
なお、上述の動作制御では、携帯電話機を折り畳んでいないときにアンテナの共振周波数が最適となるよう構成したことから、携帯電話機を折り畳んだときにアンテナの共振周波数を移動するよう調整するようにしたが、これに限定されるものではなく、携帯電話機を折り畳んだときにアンテナの共振周波数が最適となるよう構成した場合には、携帯電話機を折り畳んでいないときにアンテナの共振周波数を移動するよう調整するようにしても良い。
【００３３】
次に、本発明の携帯端末の他の実施の形態である携帯電話機を図８ないし図１３に基づいて説明する。なお、図８ないし図１３において、図１ないし図７と共通する部分には共通の符号を付し、その説明については省略する。
【００３４】
図８において、３１は第１メモリ１０に記憶された画像データや各種表示データに基づいて表示用の駆動信号を生成する第２表示ドライバ、３２は第１表示ドライバ３１からの駆動信号に基づいて画像や文字等を表示する第２表示部であり、この第２表示部３２は第１筐体（上側筐体）の裏面側に設けられ、携帯電話機を折り畳んでいないとき、および第１筐体（上側筐体）を回転させずに折り畳んだときの何れの状態でも外側となる位置に配置され、副表示部として用いられる。３３は第２表示部３２を背面から照明する第２バックライトである。
【００３５】
３４は携帯端末の開閉状態を検知する第１開閉検知部であって、第１筐体（上側筐体）のヒンジ部付近に配置された突起３４ａと、第２筐体（下側筐体）のヒンジ部付近の凹部に配置されたスイッチ３４ｂとから構成されており、突起３４ａが凹部内のスイッチ３４ｂを押下することによってスイッチ３４ｂがＯＮする構成となっている。
【００３６】
３５は携帯端末の開閉状態を検知する第２開閉検知部であって、第１筐体（上側筐体）の開放端側に配置されたマグネット３５ａと、第２筐体（下側筐体）の開放端側に配置されたホール素子３５ｂとから構成されており、マグネット３５ａがホール素子３５ｂに近接することによってホール素子３５ｂがＯＮする構成となっている。
【００３７】
そして、これら第２表示ドライバ３１と、第２表示部３２と、第２バックライト３３と、第１開閉検知部３４と、第２開閉検知部３５と、第１アンテナ１と、無線部２と、通信制御部３と、信号処理部４と、スピーカ５と、マイク６と、撮像部７と、発光部８と、画像処理部９と、第１メモリ１０と、第１表示ドライバ１１と、第１表示部１２と、第１バックライト１３と、第２メモリ１４と、第１操作部１５と、第２操作部１６と、第２アンテナ１７と、共振周波数調整部１８と、通信モジュール１９と、主制御部２１とによって携帯電話機が構成されている。
【００３８】
また、このように構成された携帯電話機は、図９ないし図１２に示すように、第１筐体と第２筐体とがヒンジ部を介して折り畳み可能に構成されると共に、その折り畳み機構とは別に第１筐体が第２筐体に対して少なくとも１８０度回転できるような機構を有して構成されており、かつ第１アンテナ１が第２筐体（下側筐体）に配置されると共に、第２アンテナ１７が第１筐体（上側筐体）の第１表示部１２が設けられた側と反対側の面の近傍に筐体の外周を這うように配置されている。また、バッテリが第２筐体（下側筐体）の裏面側に配置され、さらに第２操作部１６が第１筐体（上側筐体）または第２筐体（下側筐体）の側面に配置されている。
【００３９】
次に、上記のように構成された携帯電話機について開閉時の動作を図１３に基づいて説明する。
【００４０】
携帯電話機の電源をＯＮすることで、このフローチャートに基づく制御が開始され、主制御部２１は第１開閉検知部３４および第２開閉検知部３５からの検知信号の変化を確認する（ステップＳ１１）。このとき、電源ＯＮした直後は前の状態が不明であるため、検知信号に変化が生じたと判断し、以後は携帯電話機が折り畳まれた状態から折り畳まれていない状態に移行したときや、折り畳まれていない状態から折り畳まれた状態に移行したときの検知信号に変化が生じたと判断する。
【００４１】
そして、第１開閉検知部３４または第２開閉検知部３５からの検知信号に変化が生じたと判断すると、主制御部２１は第１開閉検知部３４からの検知信号に基づいてスイッチ３４ａがＯＮ状態（第１筐体を回転させずに携帯電話機が折り畳まれている状態）にあるか判定する（ステップＳ１２）。
【００４２】
このとき、第１開閉検知部３４からの検知信号に基づいてスイッチ３４ａがＯＮ状態（第１筐体を回転させずに携帯電話機が折り畳まれている状態）にあると判定された場合には、主制御部２１は共振周波数調整部１８に対して供給する電圧ＶｃをＬレベルとし（ステップＳ１３）、アンテナ１７の共振周波数を移動させないようにすると共に、第１メモリ１０、第１表示ドライバ１１、第１バックライト１３、第２表示ドライバ３１、第２バックライト３３を制御し、第１表示部１２をＯＦＦ、第２表示部３２をＯＮさせ（ステップＳ１４，Ｓ１５）、第２表示部３２に所定の表示を行わせる。
【００４３】
一方、第１開閉検知部３４からの検知信号に基づいてスイッチ３４ａがＯＮ状態（第１筐体を回転させずに携帯電話機が折り畳まれている状態）にないと判定された場合には、主制御部２１は第２開閉検知部３５からの検知信号に基づいてホール素子３５ｂがＯＮ状態（第１筐体を回転させて携帯電話機を折り畳んだ状態）にあるか判定する（ステップＳ１６）。
【００４４】
このとき、第２開閉検知部３５からの検知信号に基づいてホール素子３５ｂがＯＮ状態（第１筐体を回転させて携帯電話機を折り畳んだ状態）にないと判定された場合には、主制御部２１は共振周波数調整部１８に対して供給する電圧ＶｃをＬレベルとし（ステップＳ１７）、アンテナ１７の共振周波数を移動させないようにすると共に、第１メモリ１０、第１表示ドライバ１１、第１バックライト１３、第２表示ドライバ３１、第２バックライト３３を制御し、第１表示部１２をＯＮ、第２表示部３２をＯＦＦさせ（ステップＳ１８，Ｓ１９）、第１表示部１２に待受画面等の所定の表示を行わせる。
【００４５】
一方、第２開閉検知部３５からの検知信号に基づいてホール素子３５ｂがＯＮ状態（第１筐体を回転させて携帯電話機を折り畳んだ状態）にあると判定された場合には、主制御部２１は共振周波数調整部１８に対して供給する電圧ＶｃをＨレベルとし（ステップＳ２０）、アンテナ１７の共振周波数を移動させる。その後、予め設定されたアプリケーション（例えば、カメラやブックビューア）を起動する（ステップＳ２１）と共に、第１メモリ１０、第１表示ドライバ１１、第１バックライト１３、第２表示ドライバ３１、第２バックライト３３を制御し、第１表示部１２をＯＮ、第２表示部３２をＯＦＦさせ（ステップＳ１８，Ｓ１９）、第１表示部１２に起動したアプリケーションに対応する画像の表示を行わせる。
【００４６】
したがって、上述の動作制御によれば、アンテナ１７が第１筐体と第２筐体との間に挟まれた状態となった場合において、アンテナ１７の共振周波数を適正な範囲に移動させることができ、これにより、送受信レベルの低下や通信可能距離が短くなることを抑制することができるため、このアンテナ１７を、携帯端末を折り畳んだとき、および折り畳んでいないときの何れの状態でも、相手側端末に近づけ易く、かつユーザの持ち替え操作が比較的少ない位置として理想的と考えられる、第１筐体の第１表示部１２の裏面側に配置することができる。しかも、アンテナ１７を第１筐体側に配置することで、第２筐体側に配置するバッテリの形状を考慮しなくて良くなるため、大容量のバッテリを搭載することができるといった効果も奏する。
【００４７】
また、第２アンテナ１７をループアンテナとし、第１筐体（上側筐体）の第１表示部１２が設けられた側と反対側の面の近傍に筐体の外周を這うように配置しているため、アンテナ１７が第１筐体と第２筐体との間に挟まれた状態となった場合においても、電波が放射され易く受け易い。したがって、送受信レベルの低下や通信可能距離が短くなることをより一層抑制することができる。
【００４８】
さらに、アンテナ１７の共振周波数を移動させる基準となる開閉検知と、アプリケーションを起動させる基準となる開閉検知とを共通化することができるため、多くの部品を追加することなく、ユーザの使い勝手を向上することができる。
【００４９】
なお、上述の動作制御では、携帯電話機を折り畳んでいないとき、および第１筐体（上側筐体）を回転させずに携帯電話機を折り畳んだときにアンテナの共振周波数が最適となるよう構成したことから、第１筐体（上側筐体）を回転させて携帯電話機を折り畳んだときにアンテナの共振周波数を移動するよう調整するようにしたが、これに限定されるものではなく、第１筐体（上側筐体）を回転させて携帯電話機を折り畳んだときにアンテナの共振周波数が最適となるよう構成した場合には、携帯電話機を折り畳んでいないとき、および第１筐体（上側筐体）を回転させずに携帯電話機を折り畳んだときにアンテナの共振周波数を移動するよう調整するようにしても良い。
【００５０】
また、上述の実施の形態では、共振周波数調整部１８として、容量切替による共振周波数調整回路を用いたが、これに限定するものではなく、アンテナ１７の共振周波数を移動することができる回路であれば良い。すなわち、例えば、図２（Ｂ）に示すように、アンテナ１７を等価回路として表すコイルＬとコンデンサＣ１に対して並列に、コンデンサＣ２，Ｃ３、抵抗Ｒ１，Ｒ２、可変容量ダイオードＣｖからなる、容量可変による共振周波数調整回路を接続する構成とし、Ｖｃ電圧を高くすることで容量Ｃｖを小さくし、Ｖｃ電圧を低くすることで容量Ｃｖを大きくする構成とすることで、共振周波数を移動させる（Ｃ１＋Ｃ２//Ｃ３//ＣｖＬまたはＣ１＋Ｃ２//Ｃ３//ＣｖＨ）ことできるようにしても良く、このような構成とすることで、Ｖｃ電圧により容量を可変できるため任意に容量を決めることが可能となり、厳密な調整を行うことができるといった利点がある。また、リアクタンスを調整するようにしても良い。
【００５１】
また、上述の実施の形態では、携帯電話機の電源をＯＮすることで開始されるソフト制御により、携帯電話機の開閉検知に基づく共振周波数の移動を行うようにしたが、これに限定されるものではなく、開閉検知部２０（第２開閉検知部３５）と共振周波数調整部１８との信号のやり取りを主制御部２１を介さずに行うように構成し、ハード的に携帯電話機の開閉検知に基づく共振周波数の移動を行うようにしても良く、このような構成とすることにより、バッテリが装着されたときに開閉検知部２０（第２開閉検知部３５）と通信モジュール１９とに電源供給を行うことで、携帯電話機の電源をＯＮしなくても通信モジュール１９を用いた通信を行わせることができ、通信モジュール１９としてFeliCa（登録商標）を用いた場合において非常に便利である。
【００５２】
さらに、上述の実施の形態では、本発明の携帯端末として、携帯電話機を用いて説明したが、これに限定されるものではなく、携帯情報端末（ＰＤＡ）、電子ブックビューア、電子翻訳機、ノートパソコン等の携帯端末にも用いることができることは言うまでもない。
【図面の簡単な説明】
【００５３】
【図１】本発明の携帯端末の一実施の形態である携帯電話機の構成を示す機能ブロック図である。
【図２】同携帯電話機のアンテナの共振周波数を調整する調整回路の構成を示す回路図である。
【図３】同携帯電話機を折り畳んでいない状態の構成の一例を示す外観図であり、（Ａ）は正面を、（Ｂ）は裏面を示すものである。
【図４】同携帯電話機を折り畳んだ状態の構成の一例を示す外観図であり、（Ａ）は正面を、（Ｂ）は裏面を示すものである。
【図５】同携帯電話機を折り畳んでいない状態の構成の他の例を示す外観図であり、（Ａ）は正面を、（Ｂ）は裏面を示すものである。
【図６】同携帯電話機を折り畳んだ状態の構成の他の例を示す外観図であり、（Ａ）は正面を、（Ｂ）は裏面を示すものである。
【図７】同携帯電話機における筐体開閉時の動作制御を示すフローチャートである。
【図８】本発明の携帯端末の他の実施の形態である携帯電話機の構成を示す機能ブロック図である。
【図９】同携帯電話機を折り畳んでいない状態でかつ表示部を回転させていない状態の構成を示す外観図であり、（Ａ）は正面を、（Ｂ）は裏面を示すものである。
【図１０】同携帯電話機を折り畳んでいない状態でかつ表示部を回転させている状態の構成を示す外観図であり、（Ａ）は正面を、（Ｂ）は裏面を示すものである。
【図１１】同携帯電話機を折り畳んだ状態の構成を示す外観図であり、（Ａ）は表示部を回転させてない状態の正面を、（Ｂ）は表示部を回転させた状態の正面を、（Ｃ）は表示部を回転させていない状態または回線させた状態の裏面を示すものである。
【図１２】同携帯電話機の第１筐体（上側筐体）の構成を示す断面図であり、（Ａ）は側面を、（Ｂ）は背面を示すものである。
【図１３】同携帯電話機における筐体開閉時の動作制御を示すフローチャートである。
【図１４】従来の構成におけるアンテナの周波数特性を示す周波数特性図であり、（Ａ）は主表示部を外側として折り畳んだ状態を、（Ｂ）は主表示部を内側として折り畳んだ状態を示すものである。
【符号の説明】
【００５４】
１    第１アンテナ
２    無線部
３    通信制御部
４    信号処理部
５    スピーカ
６    マイク
７    撮像部
８    発光部
９    画像処理部
１０    第１メモリ
１１    第１表示ドライバ
１２    第１表示部
１３    第１バックライト
１４    第２メモリ
１５    第１操作部
１６    第２操作部
１７    第２アンテナ
１８    共振周波数調整部
１９    通信モジュール
２０    開閉検知部
２１    主制御部
【図１】
2005151051.tif 000003
【図２】
2005151051.tif 000004
【図３】
2005151051.tif 000005
【図４】
2005151051.tif 000006
【図５】
2005151051.tif 000007
【図６】
2005151051.tif 000008
【図７】
2005151051.tif 000009
【図８】
2005151051.tif 000010
【図９】
2005151051.tif 000011
【図１０】
2005151051.tif 000012
【図１１】
2005151051.tif 000013
【図１２】
2005151051.tif 000014
【図１３】
2005151051.tif 000015
【図１４】
2005151051.tif 000016